(57)【特許請求の範囲】
【請求項１】
複数の情報をリストとして表示できるタッチパネルを備える情報処理装置において、
前記タッチパネルの操作領域の第１の位置が第１タッチ操作されている間、前記第１の位置を中心とした同心円状に、第２タッチ操作を受け付ける第１ボタン領域と、前記第１の位置を中心とした同心円状に、前記第１ボタン領域の外側に形成された前記第２タッチ操作を受け付ける第２ボタン領域との２つのボタン領域を設け、
前記タッチパネルがリストとして表示した複数の情報のうち１の情報について前記第１の位置が前記第１タッチ操作されている間、前記第１ボタン領域または前記第２ボタン領域が前記第２タッチ操作されたか否かを判別し、前記第１ボタン領域が前記第２タッチ操作された場合、前記１の情報に関する第１の処理を実行し、前記第２ボタン領域が前記第２タッチ操作された場合、前記第１の処理とは異なる前記１の情報に関する第２の処理を実行する制御部を備え、
前記タッチパネルがリストとして表示する情報は、複数の階層により構成される、
ことを特徴とする情報処理装置。
【請求項２】
前記制御部は、
前記第１の位置が前記第１タッチ操作されている間、前記第１ボタン領域、及び、前記第２ボタン領域を表示することを特徴とする請求項１に記載の情報処理装置。
【請求項３】
車両に搭載され、複数の情報をリストとして表示できるタッチパネルを備える車載装置において、
前記タッチパネルの操作領域の第１の位置が第１タッチ操作されている間、前記第１の位置を中心とした同心円状に、第２タッチ操作を受け付ける第１ボタン領域と、前記第１の位置を中心とした同心円状に、前記第１ボタン領域の外側に形成された前記第２タッチ操作を受け付ける第２ボタン領域との２つのボタン領域を設け、
前記タッチパネルがリストとして表示した複数の情報のうち１の情報について前記第１の位置が前記第１タッチ操作されている間、前記第１ボタン領域または前記第２ボタン領域が前記第２タッチ操作された否かを判別し、前記第１ボタン領域が前記第２タッチ操作された場合、前記１の情報に関する第１の処理を実行し、前記第２ボタン領域が前記第２タッチ操作された場合、前記第１の処理とは異なる前記第１の情報に関する第２の処理を実行する制御部を備え、
前記タッチパネルがリストとして表示する情報は、複数の階層により構成される、
ことを特徴とする車載装置。
【発明の詳細な説明】
【技術分野】
【０００１】
本発明は、情報処理装置、及び、車載装置に関する。
【背景技術】
【０００２】
従来、目的のボタンを選択する場合のタッチパネルの操作として、指をタッチパネルにタッチしたまま動かす（スライドと呼ぶ）操作が知られている（例えば、特許文献１参照）。
また、プレス＆タップと呼ばれる「一本目の指をタッチパネルにタッチしたまま、二本目の指でタッチパネルを軽く叩く（タップと呼ぶ）操作」をすることで、マウスの右クリックに相当するメニューを表示するタブレットＰＣが知られている（例えば、非特許文献１参照）。
【先行技術文献】
【特許文献】
【０００３】
【特許文献１】特開２０１１−１０７８２３号公報
【非特許文献】
【０００４】
【非特許文献１】マイクロソフト（登録商標）、“Ｗｉｎｄｏｗｓ（登録商標）  タッチ  ジェスチャの概要”、[online]、[平成２６年６月３０日検索]、インターネット＜URL: URL:http://msdn.microsoft.com/ja-jp/library/windows/desktop/dd940543(v=vs.85).aspx＞
【発明の概要】
【発明が解決しようとする課題】
【０００５】
上述した操作は、タッチパネルを有する情報処理装置の使い勝手を向上させる技術として優れたものであるが、タッチパネルの画面を視認しながら操作することを想定して作られており、運転中の車載装置の操作のように画面を視認することなく操作することは考慮されていない。
本発明は、特に画面を視認することなく操作できるようにすることで、ユーザの使い勝手をさらに向上させた情報処理装置、及び、車載装置を提供することを目的とする。
【課題を解決するための手段】
【０００６】
上記目的を達成するために、本発明は、複数の情報をリストとして表示できるタッチパネルを備える情報処理装置において、前記タッチパネルの操作領域の第１の位置が第１タッチ操作されている間、前記第１の位置を中心とした同心円状に、第２タッチ操作を受け付ける第１ボタン領域と、前記第１の位置を中心とした同心円状に、前記第１ボタン領域の外側に形成された前記第２タッチ操作を受け付ける第２ボタン領域との２つのボタン領域を設け、前記タッチパネルがリストとして表示した複数の情報のうち１の情報について前記第１の位置が前記第１タッチ操作されている間、前記第１ボタン領域または前記第２ボタン領域が前記第２タッチ操作されたか否かを判別し、前記第１ボタン領域が前記第２タッチ操作された場合、前記１の情報に関する第１の処理を実行し、前記第２ボタン領域が前記第２タッチ操作された場合、前記第１の処理とは異なる前記１の情報に関する第２の処理を実行する制御部を備え、前記タッチパネルがリストとして表示する情報は、複数の階層により構成される、ことを特徴とする。
【０００７】
また、本発明は、前記制御部は、前記第１の位置が前記第１タッチ操作されている間、前記第１ボタン領域、及び、前記第２ボタン領域の領域を表示することを特徴とする。
【０００８】
また、本発明は、車両に搭載され、複数の情報をリストとして表示できるタッチパネルを備える車載装置において、前記タッチパネルの操作領域の第１の位置が第１タッチ操作されている間、前記第１の位置を中心とした同心円状に、第２タッチ操作を受け付ける第１ボタン領域と、前記第１の位置を中心とした同心円状に、前記第１ボタン領域の外側に形成された前記第２タッチ操作を受け付ける第２ボタン領域との２つのボタン領域を設け、前記タッチパネルがリストとして表示した複数の情報のうち１の情報について前記第１の位置が前記第１タッチ操作されている間、前記第１ボタン領域または前記第２ボタン領域が前記第２タッチ操作された否かを判別し、前記第１ボタン領域が前記第２タッチ操作された場合、前記１の情報に関する第１の処理を実行し、前記第２ボタン領域が前記第２タッチ操作された場合、前記第１の処理とは異なる前記第１の情報に関する第２の処理を実行する制御部を備え、前記タッチパネルがリストとして表示する情報は、複数の階層により構成される、ことを特徴とする。
【発明の効果】
【０００９】
本発明によれば、タッチパネルを有する情報処理装置の使い勝手を向上させることができる。特に車載装置などに好適な、画面を視認せずに行う操作を増やすことができる。
【図面の簡単な説明】
【００１０】
【図１】第1実施形態に係る車載情報機器の機能的構成を示す図である。
【図２】タッチパネルに情報を表示した一例を示す図である。
【図３】タッチパネルに設けられたボタン領域の一例を示す図である。
【図４】ボタン領域を説明するための説明図である。
【図５】車載情報機器の動作を示すフローチャートである。
【図６】第２実施形態を説明する説明図である。
【発明を実施するための形態】
【００１１】
以下、図面を参照して本発明の実施形態について説明する。
＜第１実施形態＞
図１は、第１実施形態に係る車載情報機器１（情報処理装置、車載装置）の機能的構成を示す図である。
車載情報機器１は、車両に搭載されるナビゲーション装置などの車載機器であり、制御部２と、記憶部３と、タッチパネル４とを備えている。
【００１２】
制御部２は、車載情報機器１の全体を制御するもので、各種のプログラムを実行することによって各機能を実現するＣＰＵなどの演算装置を備えている。
【００１３】
記憶部３は、例えばフラッシュメモリなどの電気的に書き換えが可能な不揮発性のメモリであり、制御部２が例えばナビ機能、オーディオ機能などの各機能を実現するためのプログラムを格納している。また、この記憶部３は、後述する液晶表示装置４２の画面に表示するアイテムのＧＵＩ（グラフィカルユーザインターフェイス）用画像データも格納している。
【００１４】
タッチパネル４は、位置入力装置４１と、液晶表示装置４２とを備えており、位置入力装置４１の下に液晶表示装置４２を設けている。このタッチパネル４は、ユーザが直感的に操作できるように、液晶表示装置４２に各種の情報を表示し、表示された情報を位置入力装置４１によって操作できるようにユーザのタッチパネル４に対する操作の総称を示すタッチ操作を受け付ける。また、このタッチパネル４は、例えば車両のダッシュボード上やインストルメントパネル内などの運転手から見やすい位置に設定される。
【００１５】
位置入力装置４１は、タッチセンサーを備え、操作領域に対するユーザによるタッチ操作を検出し、タッチ操作された位置を示す情報を制御部２に出力する。制御部２は、入力された情報に基づいて、ユーザがタッチ操作した位置を検出し、記憶部３に記憶されたプログラムの機能により、検出結果に応じた処理を実行する。
位置入力装置４１のタッチ操作の検出方式には、例えば静電容量方式、抵抗膜方式、超音波方式など様々な方式があるが、ユーザのタッチ操作を検出するものであれば、いずれも採用されてよい。
液晶表示装置４２は、液晶ディスプレイなどの平面状で薄型の視覚表示装置であり、制御部２の制御の下、制御部２から出力される表示画面信号に基づき、画面に各種の情報を表示する。
【００１６】
図２は、タッチパネル４に情報を表示した一例を示す車載情報機器１の模式図である。
車載情報機器１は、タッチパネル４の表示画面に、各種の情報をリストＬなどのアイテムとして表示する。このリストＬは、例えばユーザが予め登録しておいた目的地までの経路やＣＤのような記録媒体に収録されている曲名などの項目である。
【００１７】
車載情報機器１において、タッチパネル４の画面は、複数の階層により構成されており、例えば図２に示す「ｓｅｌｅｃｔ  ｌｉｓｔ  １〜５」のように、階層ごとに複数の種類のアイテムが配置されている。車載情報機器１は、ユーザによるタッチパネル４への操作に応じて、画面を上位の階層から下位の階層、若しくは、下位の階層から上位の階層に順次遷移させる。
図２では、ユーザが、「ｓｅｌｅｃｔ  ｌｉｓｔ  ２」を選択することによって、上位の階層である「ｓｅｌｅｃｔ  ｌｉｓｔ  １〜５」から、下位の階層である「ｓｅｌｅｃｔ  ｓｕｂ  ｌｉｓｔ  １〜５」に画面を遷移させている様子を示している。
【００１８】
本実施形態において、アイテムの選択、及び、下位の階層から上位の階層への遷移は、ボタン領域Ｂへの軽くたたく操作、すなわちタッチパネル４に触れた後すぐに離す操作（以下、タップと呼ぶ）によって実行される。
ボタン領域Ｂは、制御部２が記憶部３から読み出したボタン領域設定プログラムを実行することによって、タッチパネル４に設けられる。このボタン領域設定プログラムは、画面を遷移させるボタン領域Ｂの設定に係るプログラムである。
【００１９】
図３は、タッチパネル４に設けられたボタン領域Ｂの一例を示す図である。本実施形態と、後述する第２実施形態では、図３のように、ボタン領域Ｂが第１ボタン領域Ｂ１と第２ボタン領域Ｂ２との二つからなる一例で示す。
図３において、第１の指Ｆ１は、タッチパネル４にタッチ操作する一本目の指である。第２の指Ｆ２は、第１の指Ｆ１と異なるタッチパネル４にタッチ操作する二本目の指である。
【００２０】
図３に示すボタン領域Ｂは、指がタッチパネル４に触れる操作（以下、タッチと呼ぶ）が行われた後、長押し操作、すなわち指をタッチパネル４に触れたまま所定期間（例えば、０．３秒）以上動かさない操作（以下、ホールドと呼ぶ）によってタッチパネル４に設けられる。すなわち、ボタン領域Ｂは、第１の指Ｆ１のホールドをトリガにして、タッチパネル４に設けられ、ホールドし続けている間、設けられている。一方、指を動かしたり、離すことでボタン領域Ｂを消すことができる。
ボタン領域Ｂは、図３に示すように、二つの領域が同心円状に並べられ構成される。第１ボタン領域Ｂ１は、内側の領域であり、第２ボタン領域Ｂ２は、外側の領域である。図３に示すように、第１ボタン領域Ｂ１には、タップされることによって、アイテムの下位の階層に遷移させる「ｓｅｌｅｃｔ」動作が対応付けられており、第２ボタン領域Ｂ２には、タップされることによって画面を上位の階層に遷移させる「ｂａｃｋ」動作が対応付けられている。すなわち、ユーザは、アイテムに対し、第１の指Ｆ１をホールド中に第２の指Ｆ２でタップする操作（以下、ホールド＆タップと呼ぶ）によって、アイテムの階層を上下に遷移させることができる。
第１ボタン領域Ｂ１と第２ボタン領域Ｂ２を同心円状に並べたことで、第１の指Ｆ１と第２の指Ｆ２の間隔を狭くするか広くするかだけで選択できるようになっている。このため、第１ボタン領域Ｂ１は、第２の指Ｆ２と第１の指Ｆ１との間隔を狭くした場合に、第２の指Ｆ２がタップするボタン領域であり、第２ボタン領域Ｂ２は、第１ボタン領域Ｂ１の選択時以上間隔を広くしたときの第２の指Ｆ２がタップするボタン領域である。
【００２１】
次に、ボタン領域Ｂについて説明する。図４は、ボタン領域Ｂを説明するための模式図である。
ボタン領域Ｂは、第１の指Ｆ１のタッチ位置Ｔ１（第１の位置）を中心に距離を変えて同心円状に、半径αの非受付領域Ｏと、非受付領域Ｏを除く半径βの第１受付領域Ｐと、非受付領域Ｏと第１受付領域Ｐを除く半径γの第２受付領域Ｑとを有する。非受付領域Ｏは、第２の指Ｆ２のタッチ操作を受け付けない。第１受付領域Ｐと第２受付領域Ｑは、第２の指Ｆ２のタッチ操作を受け付ける。ここで、第１受付領域Ｐと第２受付領域Ｑは、それぞれ第１ボタン領域Ｂ１と第２ボタン領域Ｂ２に相当する。
半径αと、半径βと、半径γは、各領域の大きさを決定する。前述した通り、第１ボタン領域Ｂ１と第２ボタン領域Ｂ２は、それぞれ、第２の指Ｆ２と第１の指Ｆ１との間隔を狭くしたときに第２の指Ｆ２がタップするボタンと、それ以上間隔を広げたときに第２の指Ｆ２がタップするボタンである。このため、第２受付領域Ｑの半径γは、非受付領域Ｏの半径αと第１受付領域Ｐの半径βより大きく設定される。
すなわち、第１ボタン領域Ｂ１は、タッチ位置Ｔ１（第１の位置）から、距離β（第１の距離）の範囲内に形成された領域である。そして、タッチ位置Ｔ１が操作されている間、第１ボタン領域Ｂ１がタッチ操作された場合、制御部２は、対応するアイテムの下位の階層へ遷移する処理（第１の処理）を実行する。
また、第２ボタン領域Ｂ２は、タッチ位置Ｔ１（第１の位置）から、距離βの範囲外であって、距離βよりも長い距離γの範囲内に形成された領域である。そして、タッチ位置Ｔ１が操作されている間、第２ボタン領域Ｂ２がタッチ操作された場合、制御部２は、下位の階層から上位の階層へ遷移する処理（第２の処理）を実行する。
【００２２】
このように、ボタン領域Ｂを同心円状に設けることによって、単に第１の指Ｆ１と、第２の指Ｆ２との距離だけでボタン領域Ｂを区別することができる。このため、どの２本の指を使っても操作することができる。また、車載装置では運転席、助手席のどちらから手を伸ばしても同様に操作することができる。
【００２３】
なお、本実施形態では、図３に示すように、第１ボタン領域Ｂ１、及び、第２ボタン領域Ｂ２は、タッチパネル４に表示される。しかしながら、これら領域を表示しない構成であってもよい。これら領域を表示しない場合であっても、ユーザは、第１の指Ｆ１でタッチ操作するタッチ位置Ｔ１との位置関係を考慮して、第２の指Ｆ２によって、第１ボタン領域Ｂ１、第２ボタン領域Ｂ２のいずれかを的確にタッチ操作可能である。
また、本実施形態では、半径α、半径β、及び、半径γの値は、固定値であるが、これらの値を、設定可能な構成としてもよい。このような構成とすることにより、例えば、半径α、半径β、及び、半径γの値を、ユーザの手指の大きさに応じた適切な値とすることが可能となる。
また、非受付領域Ｏを設けない構成であってもよく、第１ボタン領域Ｂ１と第２ボタン領域Ｂ２との間に、非受付領域Ｏ´（図示せず）を設けてもよい。
【００２４】
次に、本実施形態に関わる車載情報機器１の動作について説明する。
図５は、本実施形態に係る車載情報機器１の動作を示したフローチャートである。
はじめに、車載情報機器１の制御部２は、タッチパネル４に表示されたアイテムがタッチ操作されたか否かを監視する（ステップＳ１）。
ステップＳ１において、アイテムが複数表示されている場合、制御部２は、複数のアイテムのうちのいずれかのアイテムがタッチ操作されたか否かを監視する。
アイテムがタッチ操作された場合（ステップＳ１：ＹＥＳ）、制御部２は、第１の指Ｆ１がホールド中か否かを判別する（ステップＳ２）。以下、タッチ操作されているアイテムを「選択候補アイテム」と表現し、タッチ操作されていない他のアイテムと区別する。
選択候補アイテムがタッチ操作された状態が所定期間以上継続しなかった場合（ステップＳ２：ＮＯ）第１の指Ｆ１によるタッチ操作がホールド中でないことを示すため、制御部２は、処理手順をステップＳ１へ戻す。
選択候補アイテムがタッチ操作された状態が所定期間以上継続した場合（ステップＳ２：ＹＥＳ）、第１の指Ｆ１によるタッチ操作がホールド中であることを示すため、制御部２は、タッチ操作された位置（図４のタッチ位置Ｔ１に対応する位置）を中心として、ボタン領域Ｂを設ける（ステップＳ３）。つまり、車載情報機器１の制御部２は、第１の指Ｆ１によるタッチ操作がホールド中に、タッチパネル４にボタン領域Ｂを設ける。
【００２５】
次いで、制御部２は、選択候補アイテムに対するタッチ操作がホールドされたままかを判別しつつ（ステップＳ４）、選択候補アイテムに対するタッチ操作がホールドされた状態のままタッチパネル４の操作領域がタップされたか否かを監視する（ステップＳ５）。
選択候補アイテムに第１の指Ｆ１によるホールドされた状態が解除された場合（ステップＳ４：ＮＯ）、制御部２は、表示したボタン領域Ｂを非表示とし（ステップＳ７）、処理手順をステップＳ１へ戻す。
選択候補アイテムに対するタッチ操作がホールドされたまま（ステップＳ４：ＹＥＳ）、タッチパネル４の操作領域が第２の指Ｆ２によってタップされた場合（ステップＳ５：ＹＥＳ）、制御部２は、タップされたボタン領域Ｂが、第１ボタン領域Ｂ１であるか否かを判別する（ステップＳ６）。
タップされたのが第１ボタン領域Ｂ１である場合（ステップＳ６：ＹＥＳ）、制御部２は、第１ボタン領域Ｂ１に対応付けられた処理を実行する（ステップＳ８）。具体的には、選択候補アイテムの下位の階層に遷移する処理を実行する。処理の実行後、制御部２は、処理手順を、ステップＳ４へ戻す。
【００２６】
ステップＳ６において、タップされたのが第１ボタン領域Ｂ１でない場合（ステップＳ６：ＮＯ）、制御部２は、タップされたのが第２ボタン領域Ｂ２であるか否かを判別する（ステップＳ９）。
タップされたのが第２ボタン領域Ｂ２である場合（ステップＳ９：ＹＥＳ）、制御部２は、第２ボタン領域Ｂ２に対応付けられた処理を実行する（ステップＳ１０）。具体的には、階層を上位の階層へ遷移する処理を実行する。処理の実行後、制御部２は、処理手順をステップＳ４へ戻す。
ステップＳ９において、タップされたのが第２ボタン領域Ｂ２でない場合（ステップＳ９：ＮＯ）、制御部２は、タップに基づく処理を実行せず（ステップＳ１１）、処理手順をステップＳ４へ戻す。
【００２７】
以上説明したように、本実施形態に係る車載情報機器１（情報処理装置、車載装置）の制御部２は、タッチパネル４の操作領域のタッチ位置Ｔ１（第１の位置）がホールドされている間、タッチ位置Ｔ１を中心とした同心円状に、タッチ操作を受け付ける第１ボタン領域Ｂ１と、第１ボタン領域Ｂ１の外側に形成された第２ボタン領域Ｂ２との２つのボタン領域を設け、タッチ位置Ｔ１がタッチ操作されている間、第１ボタン領域Ｂ１がタッチ操作された場合、第１の処理を実行し、第２ボタン領域Ｂ２がタッチ操作された場合、第１の処理とは異なる第２の処理を実行する。
この構成によれば、ユーザは、第１の指Ｆ１によってタッチパネル４をホールドした状態で、第１の指Ｆ１でホールドしたタッチ位置Ｔ１と所定の関係にある位置を第２の指Ｆ２によってタップすることにより、車載情報機器１に所定の処理を実行させることができる。したがって、ユーザは、車載情報機器１に所定の処理を実行させる際に、第１の指Ｆ１のタッチ位置Ｔ１に基づいて、第２の指Ｆ２によってタップを行えばよく、必ずしも、操作が完了するまでの間、タッチパネル４を視認し続ける必要が無く、また、第１の指Ｆ１と第２の指Ｆ２の距離によって２種類の動作を実行させることができるため、ユーザの使い勝手が向上する。
【００２８】
また、制御部２は、タッチパネル４上に、第１ボタン領域Ｂ１、及び、第２ボタン領域Ｂ２を表示する。
この構成によれば、ユーザは、視認により、第１ボタン領域Ｂ１、及び、第２ボタン領域Ｂ２を確実に把握できる。
【００２９】
＜第２実施形態＞
次に、第２実施形態について説明する。なお、上述した第１実施形態と同様の構成要素については同一の符号を付し、その説明を省略する。
【００３０】
図６は、第２実施形態を説明する説明図である。
ここで、記憶部３には、複数（例えば、１万曲）の楽曲が階層化されて記憶されている。階層は、ジャンル階層を最上位階層とし、ジャンル階層、アーティスト階層、アルバム階層、曲階層の順番に構成される。
【００３１】
また、図示は省略するが、車載情報機器１は、記憶部３に記憶された楽曲を再生して、音声として出力するオーディオ部を備える。
車載情報機器１は、リストのアイテムをタップされることでその階層の楽曲を再生する。この場合、例えばジャンルがタップされた場合は、そのジャンルからランダムに選ばれたアルバムを再生し、アーティストがタップされた場合は、そのアーティストのアルバムから新しい順に再生するなど予め設定された順序で再生するようにすることが望ましい。
また、タッチ後すぐにスライドする操作やタッチした指をはらって指を離す操作（フリックと呼ぶ）によって、リストをスクロールすることができる。
【００３２】
以下、ユーザが、上記構成の階層を、段階的に下方へ遷移させて、自身が聞きたい楽曲を選択する場合を例にして、第２実施形態について説明する。
まず、ユーザは、タッチパネル４に対して所定の操作を行って、図６（Ａ）に示すジャンルを示すアイテムが一覧表示された表示画面を表示させる。
図６（Ａ）の例では、ジャンルとして、「ロック」、「ジャズ」、及び、「クラシック」が存在し、それぞれのジャンルを示すアイテムがリストとして一覧表示される。
【００３３】
図６（Ａ）に示す状態で、ユーザが、ロックに対応するアイテムを、第１の指Ｆ１で、所定期間、ホールドし続ける。すると、制御部２は、ロックに対応するアイテムが所定期間以上の間ホールドされ続けたことを検出し、そのことをトリガとして、オーディオ部を制御して、ジャンルがロックに属する任意の１の楽曲を再生する。
ユーザは、再生された楽曲を聴取し、楽曲のジャンルがロックであることを認識し、当該認識に基づいて、第１の指Ｆ１でホールドしているアイテムが、ロックに対応するアイテムであることを認識する。このように、本実施形態では、図６（Ａ）に示す画面が表示されている状態において、ユーザがホールドを所定期間続けた場合、ホールドされたアイテムに対応するジャンルの任意の一曲が再生される（いわゆる頭出しが行われる）。
【００３４】
このような構成のため、ユーザは、タッチパネル４を視認することによって、アイテムに対応するジャンルを認識する必要がない。つまり、ユーザは、タッチパネル４の任意の位置をタッチ操作し、タッチ操作に応じて再生される楽曲を聴取することによってタッチ操作しているアイテムに対応するジャンルを認識できる。
なお、曲の頭出しに限られず、ジャンル名やアーティスト名などの名称を単に音声合成で読み上げてもよい。また、一曲の再生に限られず、ジャンルやアーティストなどの識別が可能な、例えばサビのような一部分のみを再生しても良い。
【００３５】
ここで、ユーザが、ロックに対応するアイテムをホールドし、ホールドに応じて再生された楽曲に基づいて、ジャンルがロックであることを認識した場合において、自身が望む楽曲が属するジャンルが、ロックである場合、ユーザは、第２の指Ｆ２のタップによって、第１ボタン領域Ｂ１に対応付けられた動作をする。これにより、ロックのジャンルのアーティスト選択の階層に遷移する。
【００３６】
一方、自身が望む楽曲が属するジャンルが、ロックではない場合、ユーザは、第１の指Ｆ１を、上下のいずれかの方向にスライドさせて、ロック以外のジャンルに対応するアイテムにホールドさせる。なお、第１の指Ｆ１が、ロックに対応するアイテムから外れた場合、制御部２は、そのことを検出し、楽曲の再生を停止する。ロック以外のジャンルに対応するアイテムに第１の指Ｆ１が移動し、所定期間タッチ操作された状態が継続した場合、制御部２は、当該ジャンルに属する任意の１の楽曲を再生する。ユーザは、再生された楽曲を聴取することによって、ジャンルが何であるかを認識し、自身が望む楽曲が属するカテゴリーであれば、第２の指Ｆ２によって第１ボタン領域Ｂ１を操作し、一方、自身が望む楽曲が属するジャンルでなければ、第１の指Ｆ１をスライドさせて、他のジャンルに対応するアイテムにホールドする。
このようにすることで、ユーザは、タッチパネル４を視認することなく、所望のジャンルを選択できる。
【００３７】
図６（Ｂ）に示すように、アーティスト階層において、車載情報機器１の制御部２は、ジャンル階層と同じように、第１の指Ｆ１のホールドに基づき、第１の指Ｆ１がホールドしている項目に応じた曲の頭出しを行う。具体的には、図６（Ｂ）のアーティストに関する階層おいて、第１の指Ｆ１が「アーティストＢ」に位置しているため、車載情報機器１は、「アーティストＢ」に関する曲の頭出しを行う。つまり、アーティストＢに属する楽曲の任意の１曲を再生する。勿論、前述したジャンル階層と同じように、ユーザは、第１の指Ｆ１のスライドやフリックによってアーティストを変更することができる。また、ジャンル階層と同じように、第１の指Ｆ１のタップによって、タップしたアーティストのアルバム選択の階層に遷移する。
アーティスト階層において、車載情報機器１の制御部２は、第２の指Ｆ２のタップに基づき、下位のアルバム階層への遷移、及び、上位のジャンル階層への遷移を行う。すなわち、車載情報機器１の制御部２は、第１ボタン領域Ｂ１がタップされた場合、対応するアイテムの下位の階層に遷移し、一方、第２ボタン領域Ｂ２がタップされた場合、上位のジャンル階層に階層を遷移する。
【００３８】
図６（Ｃ）に示すアルバム階層、及び、図６（Ｄ）に示す曲階層においても上述した処理と同様の処理が実行される。
特に、図６（Ｄ）に示す曲階層においては、楽曲を示すアイテムがリストとして一覧表示され、アイテムのタッチ操作に応じて、対応する楽曲が再生される。ユーザは、再生された楽曲が自身が望む楽曲である場合、第２の指Ｆ２によって、第１ボタン領域Ｂ１をタップする。当該操作に応じて、制御部２は、対応する楽曲を改めて最初から生成する。
以上のようにして、ユーザは、所望の楽曲を再生させることができる。
【００３９】
このように本実施形態では、第１の指Ｆ１のホールドによって曲の頭出しを行う。これによって、ユーザは、曲の頭出しを聴取することによって第１の指Ｆ１がホールドしている項目を確認でき且つ、第２の指Ｆ２にて階層を遷移することができる。また、ユーザは、スライドやフリックによって階層毎に第１の指Ｆ１がホールドするアイテムの変更ができる。そのため、ユーザは、一貫してタッチパネル４の画面に頼ることなく、正確に目的の曲にたどり着くことができる。
【００４０】
なお、制御部２は、前述したオーディオ部に、第２の指Ｆ２のタップ時に伴う音（以下、タップ音と呼ぶ。）を出力させてもよい。つまり、制御部２は、オーディオ部によってタップ音を出力することによって、ユーザが第２の指Ｆ２によってタップしたか否かを知らせる。これにより、ユーザは、タップ音で、第２の指Ｆ２によるタップができているか否かを識別できる。さらに、第１ボタン領域Ｂ１と第２ボタン領域Ｂ２とでタップ音を異ならせることによって、ユーザは、第２の指Ｆ２によってどのボタン領域Ｂをタップしたかを識別できる。また、さらに、非受付領域などの受付領域以外を第２の指Ｆ２がタップした場合に、警告音を出力させることによって、ユーザは、より正確に第２の指Ｆ２がタップした領域を識別できる。
【００４１】
上述した実施形態は、あくまでも本発明の一態様を例示するものであって、本発明の趣旨を逸脱しない範囲で任意に変形、及び応用が可能である。
例えば、上述した実施形態では、ボタン領域Ｂを第１ボタン領域Ｂ１と第２ボタン領域Ｂ２の二つの領域から成る例を説明した。本発明はこれに限定されず、選択する動作が一つの場合、ボタン領域Ｂは一つで良い。
【００４２】
また、例えば、上述した実施形態において、第１ボタン領域Ｂ１と第２ボタン領域Ｂ２の動作を、それぞれ、画面の下位の階層と上位の階層の遷移と例示した。しかしながら、必ずしも対応付けられている動作を画面の遷移にする必要はなく、例えばボタン領域Ｂが二つの場合、楽曲の再生、及び停止のように二者択一であれば良い。
【００４３】
また、例えば、上述した実施形態において、第１の指Ｆ１は、アイテムをタッチ操作するものと例示した。しかしながら、必ずしも第１の指Ｆ１は、アイテムをタッチ操作する必要がない。例えば前の画面に戻すときなどのユーザがアイテムを指定する必要がない場合、第１の指Ｆ１のタッチ位置Ｔ１は、タッチ操作を受け付けるタッチパネル４上であれば任意の位置で良い。
【００４４】
また上述した実施形態では、車載情報機器１に本発明を適応した場合を例示した。しかしながら、車載型に限らず、本発明を適応可能な情報機器は、携帯型、及び据え置き型の情報機器でも良い。また、位置入力装置４１を備える情報機器であれば、本発明を適応できる。
【符号の説明】
【００４５】
１  車載情報機器（情報処理装置、車載機器）
４  タッチパネル
Ｂ１  第１ボタン領域
Ｂ２  第２ボタン領域
Ｔ１  タッチ位置（第１の位置）
【図１】
0006349169.tif 000002
【図２】
0006349169.tif 000003
【図３】
0006349169.tif 000004
【図４】
0006349169.tif 000005
【図５】
0006349169.tif 000006
【図６】
0006349169.tif 000007